(57)【要約】【課題】太陽電池の表て面の損傷が防がれて、大きな耐久性を有し、さらに、書類等を挟んで持ち運ぶことができて、利便性の良い携帯式発電器を提供することを目的とする。【解決手段】矩形状の第１・第２半カバー部41，42が夫々の一端縁41ａ，42ａ同士で連結され半カバー部41，42を展開・折畳み自在とする折曲部２を成すファイル部材１を備える。両半カバー部41，42の内面に、シート状太陽電池４が張設される。第１半カバー部41の外表面44に、両太陽電池４，４と電気的に接続された電気出力用コネクタ部５と、第１面状ファスナ６とが付設される。かつ、第２半カバー部42の他端縁42ｂに、第１面状ファスナ６と係合・分離可能な第２面状ファスナ７を先端８ａに有する閉じ用バンド８が、付設される。そして、折畳み状態においてバンド８の第２面状ファスナ部７を第１面状ファスナ６に係合した場合に、バンド８がコネクタ部５を覆うように構成されている。【選択図】図１
2008243883.tif 000002
【特許請求の範囲】
【請求項１】
矩形状の第１半カバー部（41）と第２半カバー部（42）とが夫々の一端縁（41ａ)(42ａ）同士で連結され該第１・第２半カバー部（41)(42）を展開・折畳み自在とする折曲部（２）を成し該折畳み状態で書類等（３）を挟んで保持するファイル部材（１）を備え、上記折畳み状態における上記第１・第２半カバー部（41)(42）の内面（11)(12）に夫々、シート状太陽電池（４）が張設され、
上記第１半カバー部（41）の外表面（44）に、両該太陽電池（４)(４）と電気的に接続された電気出力用コネクタ部（５）と、第１面状ファスナ（６）とが付設され、
かつ、上記第２半カバー部（42）の他端縁（42ｂ）に、上記第１面状ファスナ（６）と係合・分離可能な第２面状ファスナ（７）を先端（８ａ）に有する閉じ用バンド（８）が、付設され、
上記折畳み状態において上記バンド（８）の上記第２面状ファスナ部（７）を上記第１面状ファスナ（６）に係合した場合に、該バンド（８）が上記コネクタ部（５）を覆うように構成されたことを特徴とする携帯式発電器。
【請求項２】
上記バンド（８）は、上記先端（８ａ）の第２面状ファスナ（７）と係合・分離可能な第３面状ファスナ（９）を有し、該バンド（８）は、該第２・第３面状ファスナ（７)(９）が相互に係合されると、吊下用リング（16）を成すように構成された請求項１記載の携帯式発電器。
【請求項３】
上記第２半カバー部（42）の内面（12）に張設された上記太陽電池（４）と、上記第１半カバー部（41）に付設された上記コネクタ部（５）とを上記折曲部（２）を介して相互に電気的に接続するプラス配線（23）・マイナス配線（33）を、上記折曲部（２）に対して傾斜状に横断するように配設した請求項１又は２記載の携帯式発電器。
【発明の詳細な説明】
【技術分野】
【０００１】
本発明は、携帯式発電器に関するものである。
【背景技術】
【０００２】
従来の携帯式発電器として、一面にソーラーパネル（太陽電池）が付設されたケース（パネル部）の他面側に、蓄電池を内蔵した充電器本体を嵌め込むことで、太陽電池が発電した電力を、ケースのコネクタ部から充電器本体のコネクタ部を介して、充電器本体の蓄電池に蓄電し、そして、充電が終了したら充電器本体をケースから取外して、充電器本体のコネクタ部にノートパソコンや携帯電話器等の電気機器をケーブルで接続して蓄電圧を使用するものが知られている（例えば、特許文献１参照）。
【特許文献１】特許第３６６５０６２号公報
【発明の開示】
【発明が解決しようとする課題】
【０００３】
従来のこの携帯式発電器は、ケースの一面に設けた太陽電池が常時外部に露出しているため、例えば、カバンの中に入れて持ち運ぶ場合等において、太陽電池が、他の物品等に接触して傷ついたり、外部からの衝撃によって損傷を受け易い。また、例え袋等に収納していても、太陽電池が袋の内部と接触するので、少なからず損傷を受けてしまう。このように、太陽電池の表て面が傷つくと発電量が低下するため、十分な電気を電子機器等に供給できなくなり、また、破損し易いので、頻繁に修理交換が必要になる。
【０００４】
そこで、本発明は、太陽電池の表て面の損傷を防ぐことができ大きな耐久性を有する携帯式発電器を提供することを目的とする。また、書類等を挟んで持ち運ぶことができて、利便性の良い携帯式発電器を提供することを他の目的とする。
【課題を解決するための手段】
【０００５】
上記目的を達成するために、本発明に係る携帯式発電器は、矩形状の第１半カバー部と第２半カバー部とが夫々の一端縁同士で連結され該第１・第２半カバー部を展開・折畳み自在とする折曲部を成し該折畳み状態で書類等を挟んで保持するファイル部材を備え、上記折畳み状態における上記第１・第２半カバー部の内面に夫々、シート状太陽電池が張設され、上記第１半カバー部の外表面に、両該太陽電池と電気的に接続された電気出力用コネクタ部と、第１面状ファスナとが付設され、かつ、上記第２半カバー部の他端縁に、上記第１面状ファスナと係合・分離可能な第２面状ファスナを先端に有する閉じ用バンドが、付設され、上記折畳み状態において上記バンドの上記第２面状ファスナ部を上記第１面状ファスナに係合した場合に、該バンドが上記コネクタ部を覆うように構成されたものである。
【０００６】
また、上記バンドは、上記先端の第２面状ファスナと係合・分離可能な第３面状ファスナを有し、該バンドは、該第２・第３面状ファスナが相互に係合されると、吊下用リングを成すように構成された。
【０００７】
また、上記第２半カバー部の内面に張設された上記太陽電池と、上記第１半カバー部に付設された上記コネクタ部とを上記折曲部を介して相互に電気的に接続するプラス配線・マイナス配線を、上記折曲部に対して傾斜状に横断するように配設した。
【発明の効果】
【０００８】
本発明の携帯式発電器によれば、展開状態として太陽電池に太陽光を当てれば発電を行うことができるので、外出先に携帯して、容易に電子機器に電気を供給したり、充電させることができる。そして、充電器を折畳み状態にして、バンドで閉じた状態とすれば、両太陽電池は外部に露出しないように保護されるため、持ち運ぶ場合においても、外部からの衝撃等によって損傷を受けるのが防がれて、大きな耐久性を有する。このように、太陽電池が劣化・損傷するのが防がれるので、太陽電池を、十分な量の電気を発電可能な状態に長期間保持することができる。
【０００９】
しかも、バンドを閉じれば、コネクタ部がバンドに覆われて外部に露出しないように保護されるので、外部の衝撃等から損傷を受けるのを防ぐことができる。
また、折畳み状態にすることで、書類等を間に挟んで曲げない状態で持ち運ぶことができるので、持ち運び用ファイルとしての利便性も良い。
【発明を実施するための最良の形態】
【００１０】
以下、実施の形態を示す図面に基づき、本発明を詳説する。
図１〜図６は本発明に係る携帯式発電器の実施の一形態を示す。発電器10は、矩形状の第１半カバー部41と第２半カバー部42とが夫々の一端縁41ａ，42ａ同士で連結され第１・第２半カバー部41，42を展開・折畳み自在とする折曲部２を成し折畳み状態で書類等３を挟んで保持するファイル部材１を備える。
【００１１】
第１・第２半カバー部41，42は、合成皮革や合成樹脂等から形成されたシート部材から成る。さらには、ファイル部材１は、一枚の矩形状のシート部材を折曲部２で展開・折畳み自在として一対の半カバー部41，42が形成されたものである。
ファイル部材１の展開状態において、折曲部２は所定の幅寸法Ｄ（図７参照）を有する。また、折畳み状態において、折曲部２は、横断面アール（半円弧）形状となり、第１半カバー部41と第２半カバー部42との間には、書類等３を挟むことができる空間が形成される。
【００１２】
そして、ファイル部材１は、第１・第２半カバー部41，42の内面11，12に夫々、シート状太陽電池４が張設されている。内面11，12とは、折畳み状態における第１・第２半カバー部41，42の夫々の対向面である。太陽電池４は、シート状アモルファスシリコンをプラスチックフィルムに蒸着して積層したものから成る柔軟性を有するものであり、各太陽電池４は、矩形状を有し各内面11，12よりも面積が小さく形成される。なお、第１・第２半カバー部41，42の内面11，12と、夫々に張設されるシート状太陽電池４Ａ，４Ｂとの間には、後述するように、プラス配線21，23・マイナス配線31，33と、両配線を覆うように内面11，12全体に張設される保護シート14とが、配設される。
【００１３】
また、第１半カバー部41の外表面44に、両太陽電池４Ａ，４Ｂと電気的に接続された電気出力用コネクタ部５と、矩形状の第１面状ファスナ６とが付設されている。コネクタ部５は、例えば、携帯電話器・ノートパソコン等の電気供給用コードの端子や、ＵＳＢケーブル端子等が接続されるように形成されている。コネクタ部５は、第１半カバー部41の外表面44のうち他端縁41ｂ沿いであって他端縁41ｂの中央に位置する部位に、他端縁41ｂ側に開口した（差込み口が向いた）状態で、付設されている。また、第１面状ファスナ６は、コネクタ部５に隣接しかつコネクタ部５の一端縁41ａ側に、付設されている。
【００１４】
また、第２半カバー部42の他端縁42ｂに、第１面状ファスナ６と係合・分離可能な第２面状ファスナ７を先端８ａに有する閉じ用バンド８が、付設されている。具体的には、バンド８は柔軟な材質の合成皮革等から成り細長帯状に形成されている。そして、バンド８は、その基端８ｂが第２半カバー部42の外表面45に縫製等により固着されて、第２半カバー部42の他端縁42ｂの中央部から直交方向に突設されている。また、バンド８は、その（第２半カバー部42の内面12と同一側を向いた）内面17の先端18（先端８ａ）に第２面状ファスナ７が付設され、かつ、内面17の基端19に第２面状ファスナ７と係合・分離可能な第３面状ファスナ９が付設される。そして、バンド８は、第２・第３面状ファスナ７，９が相互に係合されると、棒体やフック等に吊り下げ可能となる吊下用リング16を成す（図３，図４参照）。
【００１５】
次に、上述したプラス配線・マイナス配線について説明する。
31は、第１半カバー部41の内面11に（接着状に）配設されて第１半カバー部41側の太陽電池４Ａとコネクタ部５とを電気的に接続する第１マイナス配線であり、第１マイナス配線31の一端30は、第１半カバー部41を貫通してコネクタ部５に電気的に接続され、他端32は、折曲部２付近において太陽電池４Ａのマイナス電極37に（後述の保護シート14を貫通して）接続される。
また、33は、折曲部２を介して第１・第２半カバー部41，42の内面11，12に（接着状に）配設されて第２半カバー部42側の太陽電池４Ｂとコネクタ部５とを電気的に接続する第２マイナス配線であり、第２マイナス配線33の一端35は、上記内面11側にて上記第１マイナス配線31に電気的に接続され、かつ、他端34は、上記内面12側にて折曲部２付近において太陽電池４Ｂのマイナス電極39に（保護シート14を貫通して）接続される。
【００１６】
また、21は、第１半カバー部41の内面11に（接着状に）配設されて第１半カバー部41側の太陽電池４Ａとコネクタ部５とを電気的に接続する第１プラス配線であり、第１プラス配線21の一端20は、第１半カバー部41を貫通してコネクタ部５に電気的に接続され、他端22は、折曲部２付近において太陽電池４Ａのプラス電極38に（保護シート14を貫通して）接続される。
また、23は、折曲部２を介して第１・第２半カバー部41，42の内面11，12に（接着状に）配設されて第２半カバー部42側の太陽電池４Ｂとコネクタ部５とを電気的に接続する第２プラス配線であり、第２プラス配線23の一端25は、上記内面11側にて上記第１プラス配線21に電気的に接続され、かつ、他端24は、上記内面12側にて折曲部２付近において太陽電池４Ｂのプラス電極40に（保護シート14を貫通して）接続される。
【００１７】
プラス配線21，23とマイナス配線31，33は、銅線等の導体から成る。各部材の位置関係について説明すると、ファイル部材１の内面11，12に、各配線、保護シート14、太陽電池４，４が順に張設されている。保護シート14は、合成樹脂材等から矩形状に形成され柔軟性を有し、ファイル部材１の内面11，12の全域にわたって張設される。
【００１８】
そして、第２プラス配線23・第２マイナス配線33は、折曲部２に対して傾斜状に横断するように配設されている。図７は、発電器10の展開状態において第２プラス配線23（以下、第２マイナス配線33も同様とする。）とファイル部材１の折曲部２との平面視における位置関係を示す。配線23は折曲部２に対して傾斜状であればよいが、折曲部２の法線に対して45°以上傾斜して配設されるのが一層好ましい。そして、図８に、ファイル部材１を折畳んだ（図１，図６参照）ときに捩じれた状態となった配線23を示した。
27，28は、配線23の一面、他面であり、一面27が保護シート14に張設される側で、他面28がファイル部材１の内面11，12に張設される側であるとする。
【００１９】
図１，図６のように発電器10が折畳まれた状態では、折曲部２は横断面アール形状となるので、配線23のうち折曲部２を横断する横断部26（図７，図８で点線で囲んだ部位）も折曲部２に沿って横断面視アール形状に曲がる。この横断部26としては、銅線等の導体を編んだ可撓性編線とするのが望ましい。そして、横断部26は、略 180°捩じれると共に、横断部26は両側へ平面視ハの字状に延びる（図８参照）。
また、横断部26の長さ寸法Ｌは、折曲部の幅寸法Ｄよりも大きい（図７参照）。これに対し、横断部26が折曲部２に対して直交する場合を考えると、上記のＬとＤが同一の大きさとなる。従って、本発明の配線23の横断部26は、折曲部２に直交して配設される場合に比べて、折畳まれた際の折曲部２における曲率半径が大きくなり、展開・折畳みが繰り返し行われるのに対して耐久性が大きい。このように、発電器10が、展開・折畳みを多数回繰り返されても、配線23は破損しにくく、電流を十分に流す機能を長期間保つことができる。
【００２０】
次に、発電器10を充電や給電用に使用する場合の説明をする。
先ず、昼間のように太陽が真上に近い位置にある場合には、発電器10を展開状態として机の上等に上向きに置けば、太陽電池４，４は十分な量の太陽光を受けることができる。一方、朝方・夕方のように太陽光が斜め方向や横方向から差してくるときには、上向きに置くと十分な量の太陽光を受けることができない。そこで、図３，図４に示したように、バンド８を丸めて第２・第３面状ファスナ７，９を相互に係合させて吊下用リング16を形成し、壁のフックや横向きに設けられた棒体にリング16を掛けることで、両太陽電池４，４を太陽光に向けた状態で保持することができる。このように、使用する時刻、太陽の位置に応じて、太陽電池４，４が十分な太陽光を得られるように、発電器10を保持することが可能となる。
そして、発電器10は折畳めばコンパクトな大きさ・形状にできるので、携帯し易い。そして、外出先で、パソコンに電気を供給したい場合や、携帯電話器の充電がなくなった場合等には、発電器10を展開状態にしてセットし、電力供給ケーブルでコネクタ部５に接続すれば電気を供給することができる。
【００２１】
また、発電器10を持ち運ぶ場合には、図１のように、折畳み状態として、バンド８を曲げて、バンド８の第２面状ファスナ７を、第１半カバー部41の第１面状ファスナ６に係合させると（図２参照）、第１・第２半カバー部41，42の折畳状態が保たれる。よって、コンパクトになると共に、両太陽電池４，４は外部に露出せず外部からの衝撃等から保護されるため、損傷を受けるのが防がれて、大きな耐久性を有する。このように、太陽電池４が劣化・損傷しないため、十分な量の電気を発電可能な状態で長期間保持できる。
さらに、コネクタ部５が、バンド８に覆われて外部露出しないので、外部からの不意の衝撃等に対して保護され、損傷を受けるのが防がれる。
上述のように、折畳み状態にして、バンド８を第１半カバー部41に巻き付けて面状ファスナ６，７で係合させた状態にすれば、両太陽電池４，４とコネクタ部５を外部露出させず、外部からの衝撃等に対して保護することができ、頻繁に持ち運んでも、損傷することがなく耐久性を有する。
また、第１・第２半カバー部41，42間に出来た空隙に書類等３を挟めば、書類等３を曲げないで持ち運ぶことができる。
【００２２】
以上のように、本発明に係る携帯式発電器は、矩形状の第１半カバー部41と第２半カバー部42とが夫々の一端縁41ａ，42ａ同士で連結され第１・第２半カバー部41，42を展開・折畳み自在とする折曲部２を成し折畳み状態で書類等３を挟んで保持するファイル部材１を備え、折畳み状態における第１・第２半カバー部41，42の内面11，12に夫々、シート状太陽電池４が張設され、第１半カバー部41の外表面44に、両太陽電池４，４と電気的に接続された電気出力用コネクタ部５と、第１面状ファスナ６とが付設され、かつ、第２半カバー部42の他端縁42ｂに、第１面状ファスナ６と係合・分離可能な第２面状ファスナ７を先端８ａに有する閉じ用バンド８が、付設され、折畳み状態においてバンド８の第２面状ファスナ部７を第１面状ファスナ６に係合した場合に、バンド８がコネクタ部５を覆うように構成されているので、展開状態として太陽電池４，４に太陽光を当てれば発電を行うことができるので、外出先に携帯して、電子機器に電気を供給したり、充電させることができる。そして、充電器を折畳み状態にして、バンド８で閉じた状態とすれば、コンパクトな大きさ・形状になるため携帯して持ち運び易い。しかも、両太陽電池４，４は外部に露出しないように保護されるため、外部からの衝撃等によって損傷を受けるのが防がれて、大きな耐久性を有する。このように、太陽電池４が劣化・損傷するのが防がれるので、太陽電池４を、十分な量の電気を発電可能な状態に、長期間保持することができる。
しかも、バンド８を閉じれば、コネクタ部５がバンド８に覆われて、外部に露出しないように保護されるので、外部の衝撃等から損傷を受けるのを防ぐことができる。
また、折畳み状態にすることで、書類等３を間に挟んで曲げない状態で持ち運ぶことができるので、ファイルとしての利便性も良い。
【００２３】
また、バンド８は、先端８ａの第２面状ファスナ７と係合・分離可能な第３面状ファスナ９を有し、バンド８は、第２・第３面状ファスナ７，９が相互に係合されると、吊下用リング16を成すように構成されているので、リング16を形成して、吊り用フック部材や横向きの棒体に掛けることで、展開状態にして両太陽電池４，４を横向きにした状態で保持することができる。よって、朝方・夕方のように太陽光が斜め方向や横方向から差すときにも、両太陽電池４，４を太陽光に向けた状態に容易に保持できるので、十分な量の電気を発電することができる。
【００２４】
また、第２半カバー部42の内面12に張設された太陽電池４と、第１半カバー部41に付設されたコネクタ部５とを折曲部２を介して相互に電気的に接続するプラス配線23・マイナス配線33を、折曲部２に対して傾斜状に横断するように配設したので、配線23，33は、折曲部２に直交して配設される場合に比べて、折畳まれた際の折曲部２における曲率半径が大きくなり、展開・折畳みが繰り返し行われても破損しにくく、耐久性を大きくすることができる。
【図面の簡単な説明】
【００２５】
【図１】本発明に係る携帯式発電器の実施の一形態を示す説明用斜視図である。
【図２】説明用要部斜視図である。
【図３】斜視図である。
【図４】斜視図である。
【図５】説明用斜視図である。
【図６】要部拡大断面図である。
【図７】説明用要部拡大平面図である。
【図８】説明用要部拡大平面図である。
【符号の説明】
【００２６】
１  ファイル部材
２  折曲部
３  書類等
４  太陽電池
５  コネクタ部
６  第１面状ファスナ
７  第２面状ファスナ
８  バンド
８ａ  先端
９  第３面状ファスナ
10  発電器
11  内面
12  内面
16  吊下用リング
23  プラス配線
33  マイナス配線
41  第１半カバー部
41ａ  一端縁
42  第２半カバー部
42ａ  一端縁
42ｂ  他端縁
44  外表面
【図１】
2008243883.tif 000003
【図２】
2008243883.tif 000004
【図３】
2008243883.tif 000005
【図４】
2008243883.tif 000006
【図５】
2008243883.tif 000007
【図６】
2008243883.tif 000008
【図７】
2008243883.tif 000009
【図８】
2008243883.tif 000010